【手続補正書】
【提出日】令和2年7月29日(2020.7.29)
【手続補正１】
【補正対象書類名】特許請求の範囲
【補正対象項目名】全文
【補正方法】変更
【補正の内容】
【特許請求の範囲】
【請求項１】
炉の制御システムであって、
炉内の複数の位置から熱放射を受け取って、前記炉内の前記複数の位置に関する温度情報を含む画像を生成するように構成された熱画像カメラ（２２）と、
前記画像を前記熱画像カメラ（２２）から受け取って、前記画像を用いて前記炉のための制御信号を生成するように構成された制御ユニット（１２）と、を備えており、
前記制御ユニット（１２）が、前記炉内の位置から受け取った前記放射における反射成分を識別及び減算するように構成された反射補償モジュール（２６）を含む、制御システム。
【請求項２】
前記制御信号は、前記炉内の温度を調整する指示を含み、および／または
前記制御信号は、前記炉内の１以上の位置における温度を差別的に調整する指示を含み、および／または
前記制御信号は、バッチ導入を調整する指示を含む、請求項１に記載の制御システム。
【請求項３】
前記制御ユニット（１２）が、前記画像を以前に収集された画像と比較して、温度又は位置の変化を検出するように構成されている、請求項１または２に記載の制御システム。
【請求項４】
前記反射補償モジュール（２６）が、前記炉内の生成物上の２つの位置を選択するように構成されており、前記２つの選択された位置がほぼ同一の温度を有し、且つ、前記２つの選択された位置が、前記炉内の異なる温度を有するそれぞれの位置から生じる反射成分を含む、請求項１から３のいずれか一項に記載の制御システム。
【請求項５】
前記反射補償モジュール（２６）が、前記生成物の放射率を算出するように構成されており、
好ましくは、前記反射補償モジュール（２６）が、前記生成物の前記放射率を用いて前記生成物の温度を算出するように構成されている、請求項４に記載の制御システム。
【請求項６】
前記炉内の単一の位置から放射を受けて当該位置の温度を測定するように構成された追加の温度感知装置（２４）を備え、前記制御ユニット（１２）が、関連する位置に関して、前記温度感知装置（２４）及び前記熱画像カメラ（２２）により測定された温度を比較し、そして、前記熱画像カメラ（２２）により生成された画像に関連する温度情報を較正するように構成されており、
任意で、前記温度感知装置（２４）が、（少なくとも）２つの波長で放射を受け取り、且つ、前記関連位置の温度を、前記（少なくとも）２つの波長で受け取られる放射の量に基づいて測定するように構成されている、請求項１から５のいずれか一項に記載の制御システム。
【請求項７】
前記制御ユニット（１２）が、前記熱画像カメラからの画像内でバッチを識別するように構成されたバッチ識別モジュール（２８）を備えており、
好ましくは、前記バッチ識別モジュール（２８）が、前記識別されたバッチの速度を測定する、および／または、前記バッチの移動を追跡するように構成されており、
前記バッチの移動を追跡することが、好ましくは、前記バッチの移動を予測することを含み、
好ましくは、前記バッチの移動の予測が、複数の位置における温度情報に基づいている、請求項１から６のいずれか一項に記載の制御システム。
【請求項８】
前記制御信号が、前記バッチの移動を制御するために前記炉内の１以上の位置の温度を調整するため、または、前記バッチの導入を制御するためのものである、請求項７に記載の制御システム。
【請求項９】
前記制御ユニット（１２）が、異常なバッチ温度またはロケーションを識別して、前記バッチに関する品質問題を強調するための制御信号を生成するように構成されている、請求項７に記載の制御システム。
【請求項１０】
前記制御ユニット（１２）が、熱応力、損傷、又は損傷の可能性の増大を示す、前記炉内の異常な温度及び温度差を識別するように構成されており、
好ましくは、制御信号が、前記炉内の温度プロファイルを変更するために、又は、前記炉の動作または前記炉の加熱及び／又はメンテナンス作業中の損傷を防止若しくは軽減するために操作者に警告するために発生される、請求項１から９のいずれか一項に記載の制御システム。
【請求項１１】
前記制御ユニット（１２）が、さらに、前記温度が熱依存化学反応の可能性を示す所定の値に達する１つ又は複数の位置を識別するように構成されており、
好ましくは、前記制御ユニット（１２）が、前記化学反応の生成速度を、前記温度が前記所定の値を超えた位置の個数から予測するように構成されており、
好ましくは、前記予測が、各位置の温度と、温度の関数としての前記反応速度の知識とに基づいており、
好ましくは、前記化学反応が、望ましくない副生成物の形成であり、
好ましくは、前記化学反応がＮＯｘの生成であり、前記所定の値が少なくとも１６００℃であり、
好ましくは、前記制御信号が、前記温度が前記所定の値を超える前記識別された位置に基づいて前記炉内の温度を調整するためのものである、請求項１から１０のいずれか一項に記載の制御システム。
【請求項１２】
バッチを受け取り、溶融させて生成物を形成するための炉（１０）であって、
チャンバと、
前記チャンバにバッチを導入するためのバッチディスペンサと、
前記チャンバに導入されたバッチを溶融するための少なくとも１つのバーナ（１６、１８）と、
請求項１〜１１のいずれか一項に記載の前記制御システムと、を備えた、炉（１０）。
【請求項１３】
前記チャンバの第１のサイド（側面）上の第１バーナ（１６）又はバーナ配列と、前記バーナの第２のサイド（側面）上の第２バーナ（１８）又はバーナ配列とを含み、前記制御信号が、前記第１のサイド上のバーナと前記第２のサイド上のバーナとを、前記熱画像カメラ（２２）から受信した画像に基づいて切り替える指示を有しており、
好ましくは、前記制御信号が、所定の位置又は複数の位置における温度が所定の値に達したときに前記第１サイドバーナ（１６）と第２サイドバーナ（１８）とを切り替える指示を有しており、または、所定の位置又は複数の位置における温度が所定の値に達したときに、前記バーナ（１６、１８）の少なくとも１つに対して燃料及び酸素プロファイルを制御する指示を有している、請求項１２に記載の炉（１０）。
【請求項１４】
炉を制御する方法であって、
炉（１０）内の複数の位置から熱画像カメラ（２２）で熱放射を受け取るステップと、
前記炉（１０）内の複数の位置の温度情報を含む画像を生成するステップと、
制御ユニット（１２）の反射補償モジュール（２６）にて前記炉（１０）内の位置から受け取った前記放射における反射成分を識別及び減算するステップと、
前記炉（１０）のための制御信号を、前記制御ユニット（１２）にて、前記画像を使用して生成するステップと、を含む、方法。
【請求項１５】
コンピュータ実行可能な命令を含むコンピュータプログラム製品であって、前記命令が、コンピュータにより実行されるときに当該コンピュータに、
炉（１０）内の複数の位置から熱画像カメラ（２２）で熱放射を受け取るステップと、
前記炉（１０）内の複数の位置の温度情報を含む画像を生成するステップと、
制御ユニット（１２）の反射補償モジュール（２６）にて前記炉（１０）内の位置から受け取った前記放射における反射成分を識別及び減算するステップと、
前記炉（１０）のための制御信号を、前記制御ユニット（１２）にて、前記画像を使用して生成するステップと、を含むステップを実行させる、コンピュータプログラム製品。